(57)【要約】      （修正有）【課題】シャッタースラットの開口部からシャッター用採光プレートを容易に取り外しすることが可能なシャッター用採光プレートとこれを用いた採光用シャッターを提供する。【解決手段】シャッタースラット２０に形成された開口部２２に着脱可能に装着されるシャッター用採光プレート１０であって、開口部２２の内周縁の形状に沿って外周縁が開口部２２の内周縁から所要幅ではみ出した形状に形成された本体部１２と本体部１２の外周縁に沿って配設され、開口部２２に係止する第１係止部１４および第２係止部１６と、を有し、第２係止部１６による開口部２２への係止状態は、第１係止部１４による開口部２２への係止状態よりも緩いことを特徴とする。【選択図】図７
2019049111.tif 000002
【特許請求の範囲】
【請求項１】
シャッタースラットに形成された開口部に着脱可能に装着されるシャッター用採光プレートであって、
前記開口部の内周縁に沿って外周縁が前記開口部の内周縁から所要幅ではみ出した形状に形成された本体部と、
前記本体部の外周縁に沿って配設され、前記開口部に係止する第１係止部および第２係止部と、を有し、
前記第２係止部による前記開口部への係止状態は、前記第１係止部による前記開口部への係止状態よりも緩いことを特徴とするシャッター用採光プレート。
【請求項２】
前記第１係止部は、前記本体部から起立する第１起立部および前記第１起立部の先端部分に形成された第１係止爪を有し、
前記第２係止部は、前記本体部から起立する第２起立部および前記第２起立部の先端部分に形成された第２係止爪を有し、
前記本体部と第２係止爪との離間距離は、前記本体部と前記第１係止爪との離間距離よりも長く形成されていると共に、
前記第２係止爪における前記本体部の側の傾斜面は、前記第２起立部に対して鈍角に形成されていることを特徴とする請求項１記載のシャッター用採光プレート。
【請求項３】
前記第１係止部は、前記本体部から起立する第１起立部および前記第１起立部の先端部分において、前記本体部の外周縁方向に前記本体部と平行に延設された第１先端起立片を有し、
前記第２係止部は、前記本体部から起立する第２起立部および前記第２起立部の先端部分において、前記本体部の外周縁方向に前記本体部と平行に延設された第２先端起立片を有し、
前記第２先端起立片の起立方向における先端部分が円弧状の凸形状に形成されていることを特徴とする請求項１記載のシャッター用採光プレート。
【請求項４】
前記第１係止部は、前記本体部から起立する第１起立部と、前記第１起立部の先端部分に形成された第１係止爪または前記第１起立部の先端部分において前記本体部の外周縁方向に前記本体部と平行に延設された第１先端起立片と、により形成され、
前記第２係止部は、前記本体部から起立する第２起立部により形成されていることを特徴とする請求項１記載のシャッター用採光プレート。
【請求項５】
前記開口部は矩形状に形成されていると共に、前記第２係止部は、前記内周縁のうちの同一内周縁上の少なくとも一箇所に配設されていることを特徴とする請求項１〜４のうちのいずれか一項に記載のシャッター用採光プレート。
【請求項６】
請求項１〜５のうちのいずれか一項に記載のシャッター用採光プレートが前記シャッタースラットに設けられた前記開口部に装着されていることを特徴とする採光用シャッター。
【発明の詳細な説明】
【技術分野】
【０００１】
本発明は、シャッター用採光プレートとこれを用いた採光用シャッターに関するものである。
【背景技術】
【０００２】
シャッターを閉めた状態であってもシャッター内部に光を取り込み可能にするため、シャッタースラットに採光窓を設けた採光用シャッターがある。このような採光用シャッターの構成例としては、特許文献１：特開２００５―２６４７１１号公報に記載されているような構成のものが知られている。具体的には、シャッタースラットに板厚方向に貫通する開口部を設け、シャッター用採光プレートに形成された複数の係止爪を用いて開口部内周縁に嵌合させて装着したものである。
【先行技術文献】
【特許文献】
【０００３】
【特許文献１】特開２００５―２６４７１１号公報
【発明の開示】
【発明が解決しようとする課題】
【０００４】
採光用シャッターを長期にわたって使用すると、シャッターの恒久性な耐久性とシャッター用採光プレートの耐久性とのズレが生じ、シャッター用採光プレートの劣化や破損が生じ、当初の採光性能を発揮することができず、シャッター用採光プレートを交換する必要が生じる。しかしながら、特許文献１に代表される従来の採光用シャッターにおいては、シャッタースラットの開口部からシャッター用採光プレートが外れないようにするための工夫がなされている。このため、シャッター用採光プレートの取り外しが困難であるといった課題や、シャッター用採光プレートをシャッタースラットの開口部から無理矢理取り外したことによってシャッタースラットの開口部が変形したり破損してしまうといった課題もある。
【課題を解決するための手段】
【０００５】
本発明は、以上のような課題を解決するためになされたものであり、適時交換するためシャッタースラットの開口部からシャッター用採光プレートを容易に取り外しすることが可能なシャッター用採光プレートとこれを用いた採光用シャッターの提供を目的としている。
【０００６】
具体的には、シャッタースラットに形成された開口部に着脱可能に装着されるシャッター用採光プレートであって、前記開口部の内周縁に沿って外周縁が前記開口部の内周縁から所要幅ではみ出した形状に形成された本体部と、前記本体部の外周縁に沿って配設され、前記開口部に係止する第１係止部および第２係止部と、を有し、前記第２係止部による前記開口部への係止状態は、前記第１係止部による前記開口部への係止状態よりも緩いことを特徴とするシャッター用採光プレートである。
【０００７】
これにより、シャッタースラットの開口部に係止させることで装着されているシャッター用採光プレートの一部を開口部の内周縁から外し易くすることができる。よって、交換対象のシャッター用採光プレートをシャッタースラットの開口部から容易に取り外すことができ、シャッター用採光プレートの交換時におけるシャッタースラットの開口部の変形を防ぐことができる。
【０００８】
また、前記第１係止部は、前記本体部から起立する第１起立部および前記第１起立部の先端部分に形成された第１係止爪を有し、前記第２係止部は、前記本体部から起立する第２起立部および前記第２起立部の先端部分に形成された第２係止爪を有し、前記本体部と第２係止爪との離間距離は、前記本体部と前記第１係止爪との離間距離よりも長く形成されていると共に、前記第２係止爪における前記本体部の側の傾斜面は、前記第２起立部に対して鈍角に形成されていることが好ましい。
【０００９】
また、前記第１係止部は、前記本体部から起立する第１起立部および前記第１起立部の先端部分において、前記本体部の外周縁方向に前記本体部と平行に延設された第１先端起立片を有し、前記第２係止部は、前記本体部から起立する第２起立部および前記第２起立部の先端部分において、前記本体部の外周縁方向に前記本体部と平行に延設された第２先端起立片を有し、前記第２先端起立片の起立方向における先端部分が円弧状の凸形状に形成されていることが好ましい。
【００１０】
また、前記第１係止部は、前記本体部から起立する第１起立部と、前記第１起立部の先端部分に形成された第１係止爪または前記第１起立部の先端部分において前記本体部の外周縁方向に前記本体部と平行に延設された第１先端起立片と、により形成され、前記第２係止部は、前記本体部から起立する第２起立部により形成されていることが好ましい。
【００１１】
これらにより、使用時においてはシャッター用採光プレートのシャッタースラットの開口部からの脱落が防止でき、シャッター用採光プレートの交換時には、シャッタースラットの内側においてシャッタースラットの開口部からのシャッター用採光プレートの取り外しを容易に行うことができる。
【００１２】
また、前記開口部は矩形状に形成されていると共に、前記第２係止部は、前記内周縁のうちの同一内周縁上の少なくとも一箇所に配設されていることが好ましい。
【００１３】
これにより、シャッタースラットの開口部からシャッター用採光プレートの取り外しがさらに容易に行うことができる。
【００１４】
また、上記のいずれかに記載されているシャッター用採光プレートが前記シャッタースラットに設けられた前記開口部に装着されていることを特徴とする採光用シャッターの発明もある。
【発明の効果】
【００１５】
本発明によれば、シャッタースラットの開口部に装着したシャッター用採光プレートに開口部への係止状態を緩めやすく（外れやすく）することができる部分としての第２係止部を有しているため、この部分を起点としてシャッタースラットの開口部からシャッター用採光プレートの取り外しを容易に行うことができる。このようにシャッタースラットの開口部からシャッター用採光プレートを容易に取り外しすることができるため、シャッター用採光プレートの交換時にシャッタースラットの開口部を変形させることがない。
【図面の簡単な説明】
【００１６】
【図１】第１実施形態における採光用シャッターの正面図である。
【図２】図１内のＩＩ−ＩＩ線の範囲におけるシャッタースラットの拡大正面図である。
【図３】図２内のＩＩＩ−ＩＩＩ線における断面図である。
【図４】第２実施形態におけるシャッター用採光プレートの背面図である。
【図５】図４内のＶ−Ｖ線における断面図である。
【図６】第３実施形態におけるシャッター用採光プレートの背面図である。
【図７】図６内のＶＩＩ−ＶＩＩ線における断面図である。
【発明を実施するための形態】
【００１７】
（第１実施形態）
図１〜図３に示すように、実施形態における採光用シャッター１００は、シャッター用採光プレート１０が装着された複数枚のシャッタースラット２０を連結することにより形成されている。シャッター用採光プレート１０は、シャッタースラット２０に設けられた開口部２２に装着されている。
【００１８】
シャッター用採光プレート１０は、図２，図３に示すように、本体部１２および本体部１２の外周縁に沿って配設された第１係止部１４および第２係止部１６を有している。本体部１２は、シャッタースラット２０の開口部２２の開口部の内周縁に沿って外周縁が開口部２２の内周縁から所要幅ではみ出した形状（開口部２２の開口形状に倣った形状）に形成されている。シャッター用採光プレート１０は第１係止部１４および第２係止部１６によって開口部２２の内周縁からシャッタースラット２０を板厚方向に挟持させることにより開口部２２に係止されている。そしてこのシャッター用採光プレート１０は、開口部２２に着脱可能に装着されている。
【００１９】
第１係止部１４は、図３に示されているように、シャッター用採光プレート１０の本体部１２の外周縁から本体部１２の内側に所要距離をあけた位置に配設されている。第１係止部１４は、本体部１２に対して直交する方向に起立する第１起立部１４Ａおよび第１起立部１４Ａの起立方向の先端部分において本体部１２の外周縁方向に延設された第１係止爪１４Ｂを有している。本体部１２と第１係止部１４とによりシャッター用採光プレート１０の上側外周縁部分と左右の外周縁部分には所要間隔をあけて複数の倒コの字形状部が形成されることになる。
【００２０】
第２係止部１６も基本構成は第１係止部１４と同様である。すなわち、シャッター用採光プレート１０の本体部１２の外周縁から本体部１２の内側に所要距離をあけた位置に第２係止部１６が配設されている。第２係止部１６は、本体部１２に対して直交する方向に起立する第２起立部１６Ａおよび第２起立部１６Ａの起立方向の先端部分において本体部１２の外周縁方向に延設された第２係止爪１６Ｂを有している。本体部１２と第２係止部１６とによりシャッター用採光プレート１０の下側外周縁部分には所要間隔をあけて複数の倒コの字形状部が形成されることになる。
【００２１】
本実施形態においては、第２係止部１６によるシャッタースラット２０の係止状態（挟持状態；以下同様）が、第１係止部１４によるシャッタースラット２０の係止状態に比較して緩くなるように形成されている。より詳細には、図３に示すように、第２係止部１６における本体部１２から第２係止爪１６Ｂまでの離間距離Ｌ２が、第１係止部１４における本体部１２から第１係止爪１４Ｂまでの離間距離Ｌ１よりも長くなっている。なお、本実施形態における本体部１２から第１係止爪１４Ｂまでの離間距離Ｌ１は、シャッタースラット２０の板厚寸法にクリアランス分が加えられた寸法になっている。
【００２２】
さらに、第１係止部１４の第１係止爪１４Ｂの本体部１２の側における面は、第１起立部１４Ａに対して直角となるように形成されている。これに対し、第２係止部１６の第２係止爪１６Ｂの本体部１２の側における面は、第２起立部１６Ａに対して鈍角となる傾斜面１６Ｃに形成されている。
【００２３】
以上のような第１係止部１４と第２係止部１６を配設することで、シャッタースラット２０の開口部２２に装着したシャッター用採光プレート１０は、それぞれの係止部におけるシャッタースラット２０の係止状態を異ならせることができる。すなわち、第１係止部１４においては、本体部１２と第１起立部１４Ａおよび第１係止爪１４Ｂはいずれもシャッタースラット２０と密着した状態でシャッタースラット２０を係止している状態（挟持している状態；以下同様）になる。これに対し、第２係止部１６においては、本体部１２と第２係止爪１６Ｂのうち少なくとも一方とシャッタースラット２０とが非密着状態でシャッタースラット２０を係止した状態（遊嵌状態）になる。
【００２４】
本実施形態においては図２に示すように、シャッタースラット２０の開口部２２の下側内周縁上（開口部２２の同一内周縁上）には第２係止部１６が複数配設（ここでは２つ）され、上側内周縁上および左右の内周縁上には第１係止部１４が配設されている。また、第１係止部１４と第２係止部１６は、本体部１２の高さ方向において互いに対向する配置で配設されている。さらに、互いに対向する第１係止部１４と第２係止部１６とにおいて、第１起立部１４Ａと第２起立部１６Ａとの外側離間距離は開口部２２の縦方向における開口幅寸法と等しく形成されている。以上のような構成によりシャッタースラット２０の開口部２２からシャッター用採光プレート１０が外れてしまうことはない。
【００２５】
シャッター用採光プレート１０をシャッタースラット２０の開口部２２から取り外しする際においては、最初に第２係止部１６による（開口部２２の下側内周縁における）シャッタースラット２０の係止状態を解除すればよい。具体的にはシャッター用採光プレート１０の本体部１２の第２係止部１６の頭部を外側に向けハンマー等で打撃し、シャッタースラット２０を第２係止爪１６Ｂの傾斜面１６Ｃを乗り越えさせればよい。
【００２６】
先述のとおり傾斜面１６Ｃは、第２起立部１６Ａと共に鈍角を形成する形状に形成されているから、シャッタースラット２０の傾斜面１６Ｃの乗り越えは容易である。これによりシャッタースラット２０の開口部２２の一部（ここでは下側内周縁）におけるシャッター用採光プレート１０の係止状態を解除できる。第２係止部１６によるシャッタースラット２０の係止状態を解除すれば、これに続けて開口部２２の上側内周縁および左右の内周縁の第１係止部１４におけるシャッタースラット２０の係止状態の解除も容易に行うことができる。
【００２７】
具体的には、第２係止部１６によるシャッタースラット２０の係止状態を解除すれば、シャッタースラット２０の開口部２２の下側内周縁とシャッター用採光プレート１０とが分離していることになる。すなわち、シャッター用採光プレート１０の下側外周縁を開口部２２の開口面から離反させ、シャッター用採光プレート１０を開口部２２の開口面に対して傾斜させた状態にすることができる。この状態でシャッター用採光プレート１０の下側外周縁を開口部２２から斜め下側の面外方向に更に離反させるようにスライドさせれば、シャッタースラット２０の開口部２２からシャッター用採光プレート１０の取り外しを行うことができる。これによりシャッタースラット２０の開口部２２を変形させることなくシャッター用採光プレート１０を取り外しすることができるのである。
【００２８】
（第２実施形態）
本実施形態においては、第１実施形態と同様の構成については、第１実施形態にて用いた番号を使用することによりここでの詳細な説明は省略する。本実施形態においては、第１係止部１４と第２係止部１６の構成が第１実施形態と異なっている点が特徴的である。
【００２９】
図４および図５に示すように、本実施形態におけるシャッター用採光プレート１０の第１係止部１４は、第１起立部１４Ａと第１起立部１４Ａの先端部分において本体部１２の外周縁の外側方向に向かって本体部１２と平行に延設された第１先端起立片１４Ｃを有している。これと同様に、第２係止部１６は第２起立部１６Ａと第２起立部１６Ａの先端部分において本体部１２の外周縁の外側方向に向かって本体部１２と平行に延設された第２先端起立片１６Ｄとを有している。この第２先端起立片１６Ｄは、第１先端起立片１４Ｃの延設長さよりも短く（低背）であって、起立方向における先端部分が円弧状の凸形状に形成されている点において、第１先端起立片１４Ｃの形態と相違している。
【００３０】
また、本実施形態においては第１係止部１４における本体部１２と第１先端起立片１４Ｃとの離間距離Ｌ１と、第２係止部１６における本体部１２と第２先端起立片１６Ｄとの離間距離Ｌ２と、を等しくしている。このように本実施形態における第１係止部１４と第２係止部１６の基本構成は、第１実施形態における第１係止部１４と第２係止部１６の基本構成と異なっていることが明らかである。
【００３１】
このような第１係止部１４と第２係止部１６の構成によっても、第２係止部１６によるシャッタースラット２０の係止状態を第１係止部１４によるシャッタースラット２０の係止状態よりも緩くすることができる。換言すると、シャッター用採光プレート１０の特定部分（第２係止部１６）を開口部２２から外し易くした状態にしている。
【００３２】
本実施形態においては、シャッタースラット２０の開口部２２からシャッター用採光プレート１０を取り外しする際には、第２係止部１６の位置でシャッター用採光プレート１０を捻ることで、シャッタースラット２０の開口部２２の下側内周縁が第２先端起立片１６Ｄの先端部分から外れ、本体部１２の外周縁と第２先端起立片１６Ｄとによるシャッタースラット２０の係止状態を解除することができる。第２係止部１６によるシャッタースラット２０の係止状態を解除すれば、続けて第１係止部１６によるシャッタースラット２０の係止状態を容易に解除することができる。
【００３３】
本実施形態におけるシャッター用採光プレート１０の第１係止部１４および第２係止部１６の構成によっても、開口部２２へのシャッター用採光プレート１０の着脱時に開口部２２の内周縁の変形を防止することができるのは、第１実施形態と同様である。
【００３４】
（第３実施形態）
本実施形態においては、第１実施形態と第２実施形態と同様の構成については、第１実施形態と第２実施形態における説明で用いた部材番号を使用することによりここでの詳細な説明は省略する。本実施形態におけるシャッター用採光プレート１０は、図６および図７に示すように、シャッター用採光プレート１０の上側外周縁と左右の外周縁に所要間隔をあけて複数の倒コの字形状部を形成する第１係止部１４と、シャッター用採光プレート１０の下側外周縁部分に所要間隔をあけて起立する第２係止部１６を有している。なお、ここではシャッター用採光プレート１０の下側外周縁部分に複数の第２係止部１６を配設した形態について説明をおこなうが、第２係止部１６は少なくとも一箇所に配設されていればよい。
【００３５】
第１係止部１４は、第１実施形態と同様に、本体部１２に対して直交する方向に起立する第１起立部１４Ａおよび第１起立部１４Ａの起立方向の先端部分において本体部１２の上側外周縁方向および左右の外周縁方向に延設された第１係止爪１４Ｂを有している。また、第２係止部１６は、本体部１２に対して直交する方向に起立する起立板のみにより形成されている。なお、第１係止部１４は、図５に示す第２実施形態で説明した形態を採用することもできる。
【００３６】
本実施形態におけるシャッター用採光プレート１０の構成によれば、第１係止部１４により開口部２２の上側内周縁および左右の内周縁をシャッタースラット２０の板厚方向に挟持させるようにして係止することができる。また第２係止部１６は、開口部２２の下側内周縁に起立面を当接させながらシャッタースラット２０の板厚方向に第２係止部１６を挿入させることにより開口部２２に装着されている。第２係止部１６は、本体部１２からの起立面が開口部２２の下側内周縁と当接した状態で開口部２２に係止されている。このように第２係止部１６の開口部２２への係止状態は、第１係止部１４による開口部２２への係止状態により維持されており、第２係止部１６の開口部２２への係止状態は第１係止部１４の開口部２２への係止状態よりも緩くなっていることがいえる。
【００３７】
本実施形態におけるシャッター用採光プレート１０の構成によれば、開口部２２へのシャッター用採光プレート１０の装着作業は次のようにして行うことができる。まず、シャッター用採光プレート１０を湾曲させ、開口部２２の左右の内周縁に第１係止部１４により開口部２２をシャッタースラット２０の板厚方向に挟持させる。次に、略平坦になった採光用プレート１０の残りの第１係止部１４で開口部２２の上側内周縁を挟持させる。そして開口部２２に対して平坦に納まったことを確認するために第２係止部１６を開口部２２に押し込めば開口部２２へのシャッター用採光プレート１０の装着が完了する。また、開口部２２からシャッター用採光プレート１０を取り外す作業は、第２係止部１６を採光用シャッター１００の内側において開口部２２から押し出した後、装着作業とは逆の手順を行えばよい。このように開口部２２に対するシャッター用採光プレート１０の着脱は、第２係止部１６を終点または起点として極めて簡単に行うことができ、着脱時における開口部２２の損傷も防止することができる点において好都合である。
【００３８】
以上に、シャッター用採光プレート１０およびこれをシャッタースラット２０の開口部２２に装着してなる採光用シャッター１００の構成について実施形態に基づき詳細に説明したが、本発明は以上の構成に限定されるものではない。例えば、以上の実施形態においては、第１係止部１４によるシャッタースラット２０への係止状態は、本体部１２と第１起立部１４Ａおよび第１係止爪１４Ｂとにより隙間なくシャッタースラット２０を係止させる形態であるが、第１起立部１４Ａと第１係止爪１４Ｂとの離間距離Ｌ１をシャッタースラット２０の板厚寸法よりも大きくした形態を採用することもできる。
【００３９】
また、シャッタースラット２０に形成した開口部２２とシャッター用採光プレート１０の本体部１２は、共に正面視矩形状に形成された形態について説明しているが、この形態に限定されるものではない。例えば正面視楕円形状の本体部１２および開口部２２の形態を採用することもできる。
【００４０】
また、シャッタースラット２０の開口部２２に装着されているシャッター用採光プレート１０を取り外しする際においては、本体部１２の第２係止部１６の近傍位置を指等で押圧し、本体部１２を軽く撓ませるようにして第２起立部１６Ａをシャッタースラット２０の面外方向にスライドさせてもよい。これによってもシャッタースラット２０の開口部２２の内周縁からシャッター用採光プレート１０の第２係止部１６（傾斜面１６Ｃ）を取り外しすることができる。
【００４１】
さらには、以上に説明した各変形例を適宜組み合わせた構成を採用することも可能である。
【符号の説明】
【００４２】
１０  シャッター用採光プレート，
１２  本体部，
１４  第１係止部，
１４Ａ  第１起立部，
１４Ｂ  第１係止爪，
１４Ｃ  第１先端起立片，
１６  第２係止部，
１６Ａ  第２起立部，
１６Ｂ  第２係止爪，
１６Ｃ  傾斜面，
１６Ｄ  第２先端起立片，
２０  シャッタースラット，
２２  開口部，
１００  採光用シャッター，
Ｌ１，Ｌ２  離間距離
【図１】
2019049111.tif 000003
【図２】
2019049111.tif 000004
【図３】
2019049111.tif 000005
【図４】
2019049111.tif 000006
【図５】
2019049111.tif 000007
【図６】
2019049111.tif 000008
【図７】
2019049111.tif 000009